(57)【要約】      （修正有）【課題】空中を飛散する電磁波を遮断するための避難所となり、出入口に工夫を凝らすことで、ルームの密閉度を確保できる電磁波遮断用シールドルームを提供する。【解決手段】電磁波遮断用シールドルーム１は、室内外用で、底部１ａの第１電磁波遮断用シールド生地２００と、側壁部１ｂ〜１ｅの第２〜第５電磁波遮断用シールド生地２０１〜２０４、及び天井部１ｆの第６電磁波遮断用シールド生地２０５とを備え、第２〜第５電磁波遮断用シールド生地の中で三重構造の出入口３を形成し、出入口は、二枚重ねとなる第７、第８電磁波遮断用シールド生地３００、３０１で形成し、かつ第８電磁波遮断用シールド生地を、第９電磁波遮断用シールド生地３０２で隠蔽する。この出入口構造と、遮蔽確保にある。【選択図】図１
0003209709.tif 000002
【実用新案登録請求の範囲】
【請求項１】
空間より遮蔽される電磁波遮断用シールドルームであり、このシールドルームは、室内用か、又は野外用であって、底部の第１電磁波遮断用シールド生地と、少なくとも、側壁部の第２〜第４電磁波遮断用シールド生地、及び天井部の第６電磁波遮断用シールド生地とを備えており、この第２〜第５電磁波遮断用シールド生地の何れかに三重構造の出入口を形成し、この出入口は、二枚重ねとなる第７、第８電磁波遮断用シールド生地で形成するとともに、第８電磁波遮断用シールド生地を、第９電磁波遮断用シールド生地、又は布地で隠蔽することを特徴とする電磁波遮断用シールドルーム。
【請求項２】
前記電磁波遮断用シールド生地の天井部の四隅に吊下げ用の鐶を備える請求項１に記載の電磁波遮断用シールドルーム。
【請求項３】
前記出入口を隠蔽する、少なくとも、第７・第８電磁波遮断用シールド生地の端部に吊下げ用の鐶を備える請求項１に記載の電磁波遮断用シールドルーム。
【請求項４】
前記出入口を隠蔽する、第７・第８電磁波遮断用シールド生地の幅に対して、前記第９電磁波遮断用シールド生地、又は布地の幅が広いことを特徴とする請求項１に記載の電磁波遮断用シールドルーム。
【考案の詳細な説明】
【技術分野】
【０００１】
本考案は、空中を飛散する電磁波を遮断するための避難所となる、電磁波遮断用シールドルームに関する。
【背景技術】
【０００２】
従来、この種の電磁波遮断用シールドルームは、電化製品から発生する低周波交流電界（電場）、又は外来電磁波ノイズ等の電磁波からの保護（シールド）に有効であると考えられている。従って、種々の構造が市販されている。但し、人的には、電磁波に対してアレルギー症状を発生する人があり、日常生活にも不便を抱えていることから、早急な対策が要望されている。
【０００３】
以上のような観点から、先行文献を調べてみると、次に挙げるものが関連性あると考えられる。即ち、簡易なシールドルームで、電磁波遮断用シールドメッシュで、全体を包囲し、全ての金属製品を使用しない。そして、各部材（天井部、側壁部とか）を、簡易に組み立て、分解可能とする。外来電磁波ノイズ等の遮蔽であり、屋内外での使用を意図するとともに、ファスナーの開閉で出入りすると考えられる（特開平８−８５７８号公報であり、文献（１）とする）。また、電磁波シールドテントが開示されており、マット状に配置した金属繊維と、マット状の金属繊維に重着する合成樹脂繊維からなる不織布とを、合成樹脂フィルムの厚さ方向において、サンドイッチ状に担持したシート材を幕状に張るテントであり、壁面と天井面とを袋状に各面の端を接合し、天井面の四角を紐等で部屋の四隅に吊り上げて、部屋内に電磁波シールドテントを幕状に張ることが特徴である。出入口は、ファスナーを装着し、人や機材の出し入れが便利となるようにした（特許第２７１７３０３号公報であり、文献（２）とする）。
【０００４】
【特許文献１】特開平８−８５７８号公報
【特許文献２】特許第２７１７３０３号公報
【考案の概要】
【考案が解決しようとする課題】
【０００５】
前述した文献（１）、（２）においては、ルームの出入口に関して、特段の説明と開示がなく、その開閉時に、ルーム内に電磁波、及び／又は、ノイズが侵入する虞があり、その密閉度が確保されないと考えられる。
【０００６】
従って、出入口に関して改良の余地が考えられることと、人の健康維持に関して配慮が要望される。
【課題を解決するための手段】
【０００７】
上記に鑑み、本考案は、出入口に工夫を凝らすことで、ルームの密閉度を確保することを意図し、請求項１〜４を提供する。
【考案の効果】
【０００８】
請求項１の考案は、空間より遮蔽される電磁波遮断用シールドルームは、室内用・野外用であって、底部の第１電磁波遮断用シールド生地と、少なくとも、側壁部の第２〜第５電磁波遮断用シールド生地、及び天井部の第６電磁波遮断用シールド生地とを備えており、第２〜第４電磁波遮断用シールド生地の何れかに三重構造の出入口を形成し、出入口は、二枚重ねとなる第７、第８電磁波遮断用シールド生地で形成するとともに、第８電磁波遮断用シールド生地を、第９電磁波遮断用シールド生地、又は布地で隠蔽する構造である。
【０００９】
これによって、請求項１においては、ルームの出入口を、第７、第８電磁波遮断用シールド生地と、第９電磁波遮断用シールド生地、又は布地とによる三重構造とする工夫を凝らすことで、ルームの密閉度を確保できる特徴と、人、並びに機材の保護と、データの保管等に有効である。
【００１０】
請求項２の考案は、電磁波遮断用シールド生地の天井部の四隅に吊下げ用の鐶を備える電磁波遮断用シールドルームである。
【００１１】
これによって、請求項２においては、請求項１の特徴を達成でき、しかも電磁波遮断用シールドルームを、室内外において、上下方向に伸縮可能に吊下できる特徴がある。
【００１２】
請求項３の考案は、出入口を隠蔽する、少なくとも、第７・第８電磁波遮断用シールド生地の端部に吊下げ用の鐶を備える電磁波遮断用シールドルームである。
【００１３】
これによって、請求項３においては、請求項１の特徴を達成でき、しかも電磁波遮断用シールドルームの出入口は、出入り時において、第７、第８電磁波遮断用シールド生地、及び／又は、第９電磁波遮断用シールド生地、又は布地を、上下方向に伸縮可能に吊下できる特徴がある。
【００１４】
請求項４の考案は、出入口を隠蔽する、第７・第８電磁波遮断用シールド生地の幅に対して、第９電磁波遮断用シールド生地、又は布地の幅が広いことを特徴とする電磁波遮断用シールドルームである。
【００１５】
これによって、請求項４においては、請求項１の特徴を達成でき、しかも電磁波遮断用シールドルームの出入口は、出入り時において、第７、第８電磁波遮断用シールド生地を、この第７、第８電磁波遮断用シールド生地より、広幅の第９電磁波遮断用シールド生地、又は布地で、隠蔽できる特徴がある。
【図面の簡単な説明】
【００１６】
【図１】本考案の電磁波遮断用シールドルーム全体を示した一部欠截の俯瞰図である。
【図２】電磁波遮断用シールドルームの出入口を開放する動作を示した正面図である。
【図３】電磁波遮断用シールドルームの出入口を開放し、人が出入りする状態を示した斜視図である。
【図４】電磁波遮断用シールドルームをテントに使用した一例の俯瞰図である。
【考案を実施するための形態】
【００１７】
以下、本考案の好ましい、一実施例を図面に基づいて説明する。
【００１８】
図１は、本考案の電磁波遮断用シールドルーム１全体を示しており、略長方形状の直方体をなしているが、一例である（その他として、立方体、円柱体等がある）。そして、電磁波遮断用シールドルーム１は、電磁波遮断用シールド生地２（布地、織布、メッシュ地、又は樹脂等）を使用して、この例においては、底部１Ａと、側面の、少なくとも、四方向となる側壁部１Ｂ〜１Ｅと、天井部１Ｆとで構成される（後述する別の例も有る）。しかし、前記形状と、四方向となる側壁部１Ｂ〜１Ｅ（分割形態、又は一連形態等の構成である）と、天井部１Ｆとの形態に捉われない。即ち、本考案は、人Ｈが入れる空間であれは、形態は捉われない。その一例として、図示しないが、室内外に張るテントの如く、底部と、側壁部兼天井部とでなる椀形形状も有り得る。
【００１９】
前記電磁波遮断用シールド生地２で、前記電磁波遮断用シールドルーム１を構成する際の好ましい一例を説明すると、電磁波遮断用シールド生地２で、底部１Ａと、この底部１Ａより立ち上がった、少なくとも、三〜四面（場合により丸い面）の、例えば、側壁部１Ｂ〜１Ｅと、天井部１Ｆとでなる直方体の部屋（ルーム）を形成する。そこで、例えば、基本となる、直方体では、底部１Ａと、側面の四方向となる前記側壁部１Ｂ〜１Ｅと、前記天井部１Ｆとを構成する部材はそれぞれ、底部１Ａは第１電磁波遮断用シールド生地２００、同側壁部１Ｂ〜１Ｅは第２〜第５電磁波遮断用シールド生地２０１〜２０４、及び天井部１Ｆは第６電磁波遮断用シールド生地２０５である。そしてこれらの各部材を組み合わせて、概ね、直方体の空間が形成される。尚、この部材（電磁波遮断用シールド生地２）は、前述した如く、分割形態、又は一連形態等の構成である。尚、第２電磁波遮断用シールド生地２０１は、後述する出入口の部位のみは開口２０１−１である。
【００２０】
第１電磁波遮断用シールド生地２００と、第２〜第５電磁波遮断用シールド生地２０１〜２０４と、第６電磁波遮断用シールド生地２０５とによって、電磁波遮断用シールドルーム１を形成する。この形成する手段としては、例えば、この第１電磁波遮断用シールド生地２００と、第２〜第５電磁波遮断用シールド生地２０１〜２０４と、第６電磁波遮断用シールド生地２０５とを逢着し、電磁波遮断用シールドルーム１を形成する例とか（以下、同とする）、同着布、同接着紙、同接着紐、同接着板材とか、図示しないファスナー等の同手段、又は図示しない電磁波遮断用シールド生地等、同様に一体編成する構成とするが、いずれも一例であり、限定されない。
【００２１】
図２は、本考案の電磁波遮断用シールドルーム１の正面を示しており、略長方形状を示しているが、一例である。この例では、側壁部１Ｂ〜１Ｅの中の正面になる側壁部１Ｂに出入口３が形成されている。出入口３は、この例では、俯瞰視して、内外側に、ずれなく二枚重ね（二枚重ねがずれる例もあり）となる第７、第８電磁波遮断用シールド生地３００（内側）、３０１（外側）と、例えば、外側に設けた第８電磁波遮断用シールド生地３０１に、オーバラップ（三重ね）して設けた第９電磁波遮断用シールド生地３０２、又は図示しない布地とでなる構造である。
【００２２】
そして、図２に示した如く、この第７、第８電磁波遮断用シールド生地３００、３０１と、第９電磁波遮断用シールド生地３０２との好ましい、寸法関係をみると、一例であるが、第７、第８電磁波遮断用シールド生地３００、３０１＜第９電磁波遮断用シールド生地３０２とし、図３で示したように、例えば、人Ｈが入室する際に、第７、第８電磁波遮断用シールド生地３００、３０１とを、同時に開く際に、第９電磁波遮断用シールド生地３０２で隠蔽できる構造とする。例えば図２に示した如く、第７、第８電磁波遮断用シールド生地３００、３０１の横幅（Ｘ）を４０〜５０ＣＭ、第９電磁波遮断用シールド生地３０２の横幅（Ｘ）を８０〜１００ＣＭとする。この寸法であれば、第７、及び／又は、第８電磁波遮断用シールド生地３００、３０１の何れかが開放されている場合でも（矢印参照）、人Ｈは、第９電磁波遮断用シールド生地３０２の横幅（Ｘ）と、裾野の重なり（図示しないが裾野の重なり、及び／又は、重なりに必要とする長さの確保が望ましい）とで、外部空気との接触は遮断される。
【００２３】
尚、第２電磁波遮断用シールド生地２０１は、正面の側壁部１Ｂの出入口３に相当する箇所を、別布の第７、第８電磁波遮断用シールド生地３００、３０１とする構成を説明した。しかし、この例に限定されず、例えば、別布の第７、第８電磁波遮断用シールド生地３００、３０１を、側壁部１Ｂの第２電磁波遮断用シールド生地２０１に、連続した構成とすることも可能である（図示せず）。
【００２４】
尚、図示しないが、第７、第８電磁波遮断用シールド生地３００、３０１と、第９電磁波遮断用シールド生地３０２等は、市販の電磁波遮断用シールド生地を採用する。
【００２５】
図１に示した電磁波遮断用シールドルーム１は、電磁波遮断用シールドルーム１を吊下する、原則として、通常の硬性の紐５を備えている。また、出入口３には、第７、第８電磁波遮断用シールド生地３００、３０１と、第９電磁波遮断用シールド生地３０２とが、緊張されること、又は図２の如く、開放されること等を考慮して、伸縮性の紐６を利用して、開放とか、迅速性の確保等の働き、又は閉塞（図１参照）の確保と迅速性等の確保の働きに有益で有る。
【００２６】
以上は、吊下げ方式の電磁波遮断用シールドルーム１を説明したが、図４に示した、室内式のテント式の電磁波遮断用シールドルーム１も、同様である。しかし、例えば、四方向となる側壁部１Ｂ〜１Ｅとか、天井部１Ｆ等において変更が必要と考えられる。
【００２７】
本考案は上述した実施の形態に限定されるものではなく、各請求項に示した範囲内での
種々の変更が可能である。例えば、各請求項に示した範囲内で適宜変更した技術的手段を
組み合わせて得られる実施のそれぞれの形態も、本考案の技術的範囲に含まれる。
【符号の説明】
【００２８】
１  電磁波遮断用シールドルーム
１Ａ  底部
１Ｂ〜１Ｅ  側壁部
１Ｆ  天井部
２  電磁波遮断用シールド生地
２００  第１電磁波遮断用シールド生地
２０１〜２０４  第２〜５電磁波遮断用シールド生地
２０１−１  開口
２０５  第６電磁波遮断用シールド生地
３  出入口
３００〜３０２  第７〜第９電磁波遮断用シールド生地
５  紐
６  紐
Ｈ  人
Ｘ  横幅
【図１】
0003209709.tif 000003
【図２】
0003209709.tif 000004
【図３】
0003209709.tif 000005
【図４】
0003209709.tif 000006
【手続補正書】
【提出日】平成29年2月6日(2017.2.6)
【手続補正１】
【補正対象書類名】実用新案登録請求の範囲
【補正対象項目名】全文
【補正方法】変更
【補正の内容】
【実用新案登録請求の範囲】
【請求項１】
空間より遮蔽される電磁波遮断用シールドルームであり、このシールドルームは、室内用か、又は野外用であって、底部の第１電磁波遮断用シールド生地と、少なくとも、側壁部の第２〜第５電磁波遮断用シールド生地、及び天井部の第６電磁波遮断用シールド生地とを備えており、この第２〜第５電磁波遮断用シールド生地の何れかに三重構造の出入口を形成し、この出入口は、二枚重ねとなる第７、第８電磁波遮断用シールド生地で形成するとともに、第８電磁波遮断用シールド生地を、第９電磁波遮断用シールド生地、又は布地で隠蔽することを特徴とする電磁波遮断用シールドルーム。
【請求項２】
前記第６電磁波遮断用シールド生地の天井部の四隅に吊下げ用の鐶を備える請求項１に記載の電磁波遮断用シールドルーム。
【請求項３】
前記出入口を隠蔽する、少なくとも、第７・第８電磁波遮断用シールド生地の端部に吊下げ用の鐶を備える請求項１に記載の電磁波遮断用シールドルーム。
【請求項４】
前記出入口を隠蔽する、第７・第８電磁波遮断用シールド生地の幅に対して、前記第９電磁波遮断用シールド生地、又は布地の幅が広いことを特徴とする請求項１に記載の電磁波遮断用シールドルーム。
【手続補正２】
【補正対象書類名】明細書
【補正対象項目名】０００８
【補正方法】変更
【補正の内容】
【０００８】
請求項１の考案は、空間より遮蔽される電磁波遮断用シールドルームは、室内用・野外用であって、底部の第１電磁波遮断用シールド生地と、少なくとも、側壁部の第２〜第５電磁波遮断用シールド生地、及び天井部の第６電磁波遮断用シールド生地とを備えており、第２〜第５電磁波遮断用シールド生地の何れかに三重構造の出入口を形成し、出入口は、二枚重ねとなる第７、第８電磁波遮断用シールド生地で形成するとともに、第８電磁波遮断用シールド生地を、第９電磁波遮断用シールド生地、又は布地で隠蔽する電磁波遮断用シールドルームである。
【手続補正３】
【補正対象書類名】明細書
【補正対象項目名】００１０
【補正方法】変更
【補正の内容】
【００１０】
請求項２の考案は、第６電磁波遮断用シールド生地の天井部の四隅に吊下げ用の鐶を備える電磁波遮断用シールドルームである。